(57)【要約】【課題】受枠を筒状体に取り付けるのに要する時間を短縮する。【解決手段】地中に埋設される筒状体５と、その筒状体５の上面を塞ぐマンホールの蓋８と、筒状体５の上端６に取り付けられ、マンホールの蓋８を支える環状の受枠７とからなるマンホール用嵩上げパイプにおいて、筒状体５の上端６外周にフランジ部１１を設け、そのフランジ部１１から上方に突出して内側に向くフック１３を設け、フック１３の下面とフランジ部１１の上面との間に、受枠７の外周部７ｃを嵌め込む。このようにすれば、受枠７の外周部７ｃを上方からフック１３に押し付けることにより、フック１３の下面とフランジ部１１の上面との間に、受枠７の外周部７ｃを嵌め込むことができる。即ち、ワンタッチで受枠７を筒状体５に取り付けることができる。これにより、リベットやねじ等で受枠７を筒状体５に取り付ける作業が省略されるので、受枠７の取付け時間を短縮することができる。【選択図】図１
2009221750.tif 000002
【特許請求の範囲】
【請求項１】
地中に埋設される筒状体（５）と、その筒状体（５）の上面を塞ぐマンホールの蓋（８）と、前記筒状体（５）の上端（６）に取り付けられ、前記マンホールの蓋（８）を支える環状の受枠（７）とからなるマンホール用嵩上げパイプにおいて、
前記筒状体（５）の上端（６）外周にフランジ部（１１）を設け、そのフランジ部（１１）から上方に突出して内側に向くフック（１３）を設け、前記フック（１３）の下面と前記フランジ部（１１）の上面との間に、前記受枠（７）の外周部（７ｃ）を嵌め込んだことを特徴するマンホール用嵩上げパイプ。
【請求項２】
地中に埋設される筒状体（５）と、その筒状体（５）の上面を塞ぐマンホールの蓋（８）と、前記筒状体（５）の上端（６）に取り付けられ、前記マンホールの蓋（８）を支える環状の受枠（７）とからなるマンホール用嵩上げパイプにおいて、
前記筒状体（５）の上端（６）外周にフランジ部（１１）を設け、そのフランジ部（１１）に上方へ突出するフック（１７）を設け、そのフック（１７）を挿入可能な穴（１８）を前記受枠（７）の外周部（７ｃ）に設け、その穴（１８）に前記フック（１７）を差し込んで、そのフック（１７）を前記外周部（７ｃ）に係合させたことを特徴とするマンホール用嵩上げパイプ。
【請求項３】
地中に埋設される筒状体（５）と、その筒状体（５）の上面を塞ぐマンホールの蓋（８）と、前記筒状体（５）の上端（６）に取り付けられ、前記マンホールの蓋（８）を支える環状の受枠（７）とからなるマンホール用嵩上げパイプにおいて、
前記筒状体（５）の上端（６）外周にフランジ部（１１）を設け、そのフランジ部（１１）から上方に突出して外側に向くフック（１９）を設け、前記受枠（７）の外周部（７ｃ）に上下方向に貫通する平面視Ｌ字状の切り欠き（２０）を設けて、その切り欠き（２０）に前記フック（１９）を差し込み、前記受枠（７）を周方向に回して、前記フック（１９）を前記外周部（７ｃ）に係合させたことを特徴するマンホール用嵩上げパイプ。
【請求項４】
地中に埋設される筒状体（５）と、その筒状体（５）の上面を塞ぐマンホールの蓋（８）と、前記筒状体（５）の上端（６）に取り付けられ、前記マンホールの蓋（８）を支える環状の受枠（７）とからなるマンホール用嵩上げパイプにおいて、
前記受枠（７）の下面に、その下方へ突出するガイド部（７ｄ）を設け、そのガイド部（７ｄ）に外径側に突出する凸部（１５）を設け、その凸部（１５）を挿入可能な穴（１６）を前記筒状体（５）に設け、その穴（１６）に前記凸部（１５）を係合させたことを特徴するマンホール用嵩上げパイプ。
【請求項５】
地中に埋設される筒状体（５）と、その筒状体（５）の上面を塞ぐマンホールの蓋（８）と、前記筒状体（５）の上端（６）に取り付けられ、前記マンホールの蓋（８）を支える環状の受枠（７）とからなるマンホール用嵩上げパイプにおいて、
前記受枠（７）の下面に、その下方へ突出するガイド部（７ｄ）を設け、そのガイド部（７ｄ）に外径側に突出する凸部（２１）を設け、前記筒状体（５）の内周面に、その上端（６）から軸方向に伸びる軸方向溝（２２）と、その軸方向溝（２２）の下部から斜め下方に延びる周方向溝（２３）とを形成して、前記軸方向溝（２２）に前記凸部（２１）を差し込み、その受枠（７）を周方向に回して、前記凸部（２１）を、前記周方向溝（２３）の上面に係合させたことを特徴するマンホール用嵩上げパイプ。
【発明の詳細な説明】
【技術分野】
【０００１】
この発明は、浄化槽に設置されるマンホール用嵩上げパイプに関するものである。
【背景技術】
【０００２】
浄化槽は、図１１に示すように、地中に埋設されることが多く、その内部を点検する等の為にマンホールを設け、浄化槽２と地表面４との高さ調整のためにマンホール用嵩上げパイプ３０が設置される。マンホール用嵩上げパイプ３０は、浄化槽２と地表面４の間に埋設され、その上部にはマンホールの蓋８が設けられている。通常、マンホールの蓋８は地表面４に沿って設けられ、常時は閉じられているが、点検時などにおいてマンホールの蓋８を開ければ、浄化槽２の内部に人が入ることができるようになっている（特許文献１  図１、特許文献２  使用状態を示す参考図参照）。
【０００３】
浄化槽２と地表面４との間隔は、浄化槽２の設置場所ごとに違っており、最大３００mmと施工規格で規定されている。このため、マンホール用嵩上げパイプ３０を設置する際に、浄化槽２と地表面４との間隔に合わせて筒状体３１を切断してその高さが調整される（例えば、特許文献１  段落００１２参照）。
【０００４】
マンホール用嵩上げパイプ３０の構成を、図１１に基づいて説明すると、地中に埋設される筒状体３１と、その筒状体３１の上面を塞ぐマンホールの蓋８と、前記筒状体３１の上端３２に取り付けられ、前記マンホールの蓋８を支える環状の受枠３３とからなるものが知られている。
なお、このマンホール用嵩上げパイプ３０は、筒状体３１の径が上端３２から下端３４まで同一であり、保管・運搬の際には、例えば、図１２に示すように、受枠３３を取り付けた状態の筒状体３１に、同一大きさの別の筒状体３１を積み重ねられる場合もある。
【特許文献１】特開平７−３２８５９９号公報
【特許文献２】意匠登録第１２６７７２２号公報
【発明の開示】
【発明が解決しようとする課題】
【０００５】
上記の受枠３３は、下方へ突出し且つ筒状体３１の内径よりも径の小さい環状のガイド部３３ａを備えており、そのガイド部３３ａが、リベットやねじ等の連結部材３５により筒状体３１に固定される（図１２参照）。
このような、リベットやねじ等による受枠３３の固定は、リベットの端をつぶしたり、雄ねじを締め付けたりする必要があるので、受枠３３を筒状体３１に取り付けるのに手間がかかっていた。
【０００６】
そこで、この発明は、受枠を筒状体に取り付けるのに要する時間を短縮することを課題とする。
【課題を解決するための手段】
【０００７】
上記課題を解決するために、この発明は、地中に埋設される筒状体と、その筒状体の上面を塞ぐマンホールの蓋と、前記筒状体の上端に取り付けられ、前記マンホールの蓋を支える環状の受枠とからなるマンホール用嵩上げパイプにおいて、前記筒状体の上端外周にフランジ部を設け、そのフランジ部から上方に突出して内側に向くフックを設け、前記フックの下面と前記フランジ部の上面との間に、前記受枠の外周部を嵌め込んだのである。
このようにすれば、受枠の外周部を上方からフックに押し付けることにより、フックの下面とフランジ部の上面との間に、受枠の外周部を嵌め込むことができる。即ち、ワンタッチで受枠を筒状体に取り付けることができる。これにより、リベットやねじ等で受枠を筒状体に取り付ける作業が省略されるので、受枠の取付け時間を短縮することができる。
【０００８】
また、他の構成として、地中に埋設される筒状体と、その筒状体の上面を塞ぐマンホールの蓋と、前記筒状体の上端に取り付けられ、前記マンホールの蓋を支える環状の受枠とからなるマンホール用嵩上げパイプにおいて、前記筒状体の上端外周にフランジ部を設け、そのフランジ部に上方へ突出するフックを設け、そのフックを挿入可能な穴を前記受枠の外周部に設け、その穴に前記フックを差し込んで、そのフックを前記外周部に係合させてもよい。
この構成によっても、上記の構成の場合と同様、ワンタッチで受枠を筒状体に取り付けることができ、リベットやねじ等で受枠を筒状体に取り付ける作業が省略されるので、受枠の取付け時間を短縮することができる。
【０００９】
さらに他の構成として、地中に埋設される筒状体と、その筒状体の上面を塞ぐマンホールの蓋と、前記筒状体の上端に取り付けられ、前記マンホールの蓋を支える環状の受枠とからなるマンホール用嵩上げパイプにおいて、前記筒状体の上端外周にフランジ部を設け、そのフランジ部から上方に突出して外側に向くフックを設け、前記受枠の外周部に上下方向に貫通する平面視Ｌ字状の切り欠きを設けて、その切り欠きに前記フックを差し込み、前記受枠を周方向に回して、前記フックを前記外周部に係合させてもよい。
この構成において、平面視Ｌ字状の切り欠きは、径方向に伸びる部分と周方向に伸びる部分とからなり、その径方向に伸びる部分にフックを差し込み、その受枠を周方向に回すことにより、フックをＬ字状の切り欠きの周方向に伸びる部分の奥部へ向わせる。フックがＬ字状の切り欠きの奥部へ行くにしたがって、そのフックは切り欠き内から離脱しにくくなる。このため、そのフックを外周部に係合させることができる。即ち、ワンタッチで受枠を筒状体に取り付けることができる。これにより、リベットやねじ等で受枠を筒状体に取り付ける作業が省略されるので、受枠の取付け時間を短縮することができる。
なお、そのＬ字状の切り欠きの周方向に伸びる部分は、奥部に向かうにつれて徐々に幅が狭くなる形状とすれば、フックが奥部に近づくにつれて徐々に締付けられて、離脱防止機能をさらに発揮することができる。
【００１０】
さらに他の構成として、地中に埋設される筒状体と、その筒状体の上面を塞ぐマンホールの蓋と、前記筒状体の上端に取り付けられ、前記マンホールの蓋を支える環状の受枠とからなるマンホール用嵩上げパイプにおいて、前記受枠の下面に、その下方へ突出するガイド部を設け、そのガイド部に外径側に突出する凸部を設け、その凸部を挿入可能な穴を前記筒状体に設け、その穴に前記凸部を係合させてもよい。
この構成によっても、上記の構成の場合と同様、ワンタッチで受枠を筒状体に取り付けることができるので、リベットやねじ等で受枠を筒状体に取り付ける作業が省略されるので、受枠の取付け時間を短縮することができる。
【００１１】
さらに他の構成として、地中に埋設される筒状体と、その筒状体の上面を塞ぐマンホールの蓋と、前記筒状体の上端に取り付けられ、前記マンホールの蓋を支える環状の受枠とからなるマンホール用嵩上げパイプにおいて、前記受枠の下面に、その下方へ突出するガイド部を設け、そのガイド部に外径側に突出する凸部を設け、前記筒状体の内周面に、その上端から軸方向に伸びる軸方向溝と、その軸方向溝の下部から斜め下方に延びる周方向溝とを形成して、前記軸方向溝に前記凸部を差し込み、その受枠を周方向に回して、前記凸部を、前記周方向溝の上面に係合させてもよい。
この構成によれば、ガイド部に設けた凸部を筒状体の上端から軸方向溝に差し込んで、その受枠を周方向に回すと、周方向溝の上面により凸部が下方に押さえ付けられることにより、凸部が周方向溝の上面に係合する。このとき、周方向溝が斜め下方に延びていることにより、凸部を下方に押さえつける力が、その凸部が周方向溝の奥部に向かうにつれて徐々に強くなる。
このため、ワンタッチで受枠を筒状体に取り付けることができるとともに、その受枠と筒状体との係合をしっかりとしたものとすることができる。
【発明の効果】
【００１２】
以上のように、この発明のマンホール用嵩上げパイプによれば、ワンタッチで受枠を筒状体に取り付けることができ、リベットやねじ等で受枠を筒状体に取り付ける作業が省略されるので、受枠の取付け時間を短縮することができる。
【発明を実施するための最良の形態】
【００１３】
図１、図２に、この発明の一実施形態におけるマンホール用嵩上げパイプ１（以下、単に「嵩上げパイプ１」という）を示す。
嵩上げパイプ１は、浄化槽２と地表面４との間に埋設される筒状体５と、筒状体５の上端６に取り付けられる受枠７とを備え、受枠７により筒状体５の上面を閉じるマンホールの蓋８が支持される。また、嵩上げパイプ１は、浄化槽２の上面に形成された穴３に沿って設けた環状の支持部材９によりその下端１０が支持される。
【００１４】
筒状体５は樹脂製であり、例えば、図３に示すように、その筒状体５を軸直角方向の切断線５ａのいずれかに沿って切り落とすことにより、その筒状体５の高さが調節される。
【００１５】
筒状体５の上端６外周には、外径側に突出するフランジ部１１が全周に亘って設けられている。フランジ部１１の上面は、全周に亘ってフラットになっており、そのフランジ部１１の外側縁１２から上方に突出して内側に向くフック１３が周方向に一定の間隔を置いて複数設けられている。
【００１６】
受枠７は、図４、図５（ａ）に示すように、環状に形成され、マンホールの蓋８を筒状体５の上端６よりも内径側で支える支持部７ａを有している。支持部７ａは、受枠７の全周に亘って連続的に設けられており、その内径側には、上方に立ち上がる保持部７ｂが形成されている。
また、受枠７には、筒状体５の上端６の外径よりも大きい外径の外周部７ｃが、全周に亘って外径側に突出して設けられており、その外周部７ｃを、前記フック１３の下面と前記フランジ部１１の上面との間に嵌め込むことにより、筒状体５の上端６に受枠７を取り付けることができる。
【００１７】
このようにすれば、ワンタッチで受枠を筒状体に取り付けることができ、リベットやねじ等で受枠を筒状体に取り付ける作業が省略されるので、受枠の取付け時間を短縮することができる。また、一旦、受枠７を筒状体５に取り付けても、受枠７を筒状体５から取り外すことができる。
なお、受枠７の下面には、その下方に突出し、筒状体５の上端６よりも径の小さい環状のガイド部７ｄを有している。これにより、受枠７を筒状体５の上端６に取り付けるときに、ガイド部７ｄが筒状体５に入り込み、受枠７を筒状体５に取り付け易くすることができる。
【００１８】
受枠７の嵌め込みは、フック１３をやや外径側に押し出すように変形させながら、受枠７の外周部７ｃをフック１３の下面とフランジ部１１の上面との間に押し込むようにしてもよいし、受枠７がゴム等の可撓性を有する素材である場合は、その受枠７を変形させながらその外周部７ｃをフック１３の下面とフランジ部１１の上面との間に押し込むようにしてもよい。
【００１９】
浄化槽２の上面に設けた支持部材９は、図６に示すように、筒状体５の下端１０を支える支持部９ａを有している。支持部９ａは、支持部材９の全周に亘って連続的に設けられており、その内径側には、上方に立ち上がる保持部９ｂが形成されている。
【００２０】
支持部９ａの支持面は水平であり、切断後の筒状体５の下端を常に同一高さで支持できるので、嵩上げパイプ１の長さを地表高さに応じて調整する作業が容易である。
【００２１】
上記実施形態では、受枠７の外周部７ｃをフランジ部１１の上面とフック１３の下面の間に嵌め込むことにより、筒状体５の上端６に受枠７を取り付けたが、図７に示すように、受枠７のガイド部７ｄに凸部１５を設け、その凸部１５を挿入可能な穴１６を筒状体５に設け、その穴１６に凸部１５を係合させてもよい。
【００２２】
このようにすれば、筒状体５の上端６に、図４、図５（ａ）に示すフック１３を設けていないので、上部に突出する部分が少なく筒状体５が破損しにくい。また、凸部１５を穴１６に係合させているので、マンホールの蓋８を開けるときなどに、受枠７に周方向の力が作用しても、受枠７が周方向に動かない。
【００２３】
また、図８に示すように、筒状体５の上端６外周にフランジ部１１を設け、そのフランジ部１１の外側縁１２から上方へ突出するフック１７を設け、そのフック１７が挿入可能な穴１８を受枠７の外周部７ｃに設け、その穴１８にフック１７を差し込んで、そのフック１７を外周部７ｃに係合させてもよい。
【００２４】
このようにすれば、フック１７を穴１８に差し込んでいるので、受枠７に周方向の力が作用しても、受枠７が周方向に動かない。
【００２５】
また、図９に示すように、筒状体５の上端６外周にフランジ部１１を設け、そのフランジ部１１の外側縁１２から上方に突出して外側に向くフック１９を設け、受枠７の外周部７ｃに上下方向に貫通する平面視Ｌ字状の切り欠き２０を設けて、その切り欠き２０にフック１９を差し込み、受枠７を周方向に回転させて、フック１９を外周部７ｃに係合させてもよい。
【００２６】
このようにすれば、受枠７の外周部７ｃに設けた切り欠き２０にフック１９を差し込んで、その受枠７を周方向に回すことにより、フック１９を外周部７ｃに係合させることができる。
即ち、平面視Ｌ字状の切り欠き２０は、受枠７の外縁に開口し径方向に延びる部分と、受枠７の周方向に延びる部分とから成り、このうち径方向に延びる部分の溝幅(受枠７の周方向に沿う幅）は、フック１９の幅(受枠７の周方向に沿う幅）と同一であるか又はやや大きく形成されている。このため、フック１９を、切り欠き２０の径方向に延びる部分に入り込ませ、その後、受枠７を周方向へ回すことにより、フック１９は、切り欠き２０の周方向に延びる部分に入り込んでいく。このため、フック１９の大きな変形を伴うことなく、そのフック１９を受枠７に係合させることができる。
【００２７】
また、図１０に示すように、受枠７のガイド部７ｄに外径側に突出する凸部２１を設け、筒状体５の内周面に、その上端６から軸方向に伸びる軸方向溝２２と、その軸方向溝２２の下部から斜め下方に延びる周方向溝２３とを形成して、軸方向溝２２に凸部２１を差し込み、その受枠７を周方向に回して、凸部２１を、周方向溝２３の上面に係合させてもよい。
【００２８】
このようにすれば、ガイド部７ｄに設けた凸部２１を筒状体５の上端６から軸方向溝２２に差し込んで、その受枠７を周方向に回すと、周方向溝２３の上面により凸部２１が下方に押さえ付けられて、凸部２１が周方向溝２３の上面に係合する。
また、筒状体５の上端６に、図４、図５（ａ）に示すフック１３を設けていないので、上部に突出する部分が少なく筒状体５が破損しにくい。
【００２９】
上記実施形態では、筒状体５を樹脂製としたが、筒状体を金属製として、その筒状体を筒軸直角方向に切断することにより、筒状体の高さを調整するようにしてもよい。
【００３０】
また、上記実施形態では、軸直角方向の断面が環状の筒状体５を用いたが、軸直角方向の断面が、四角形、六角形、八角形などの角筒を用いてもよい。
【００３１】
また、上記実施形態では、筒状体５の上端６外周に、外径側に突出するフランジ部１１を全周に亘って設け、そのフランジ部１１の外側縁１２から上方に突出して内側に向くフック１３を周方向に間隔を置いて複数設けたが、筒状体５の上端６外周に、外径側に突出するフランジ部を周方向に間隔をおいて複数設け、そのフランジ部から上方に突出するフックを設けてもよい。
【図面の簡単な説明】
【００３２】
【図１】この発明の第一実施形態のマンホール用嵩上げパイプを示す断面図
【図２】図１のマンホール用嵩上げパイプの使用状態を示す部分断面図
【図３】図１のマンホール用嵩上げパイプの筒状体を切断した状態を示す斜視図
【図４】図１のマンホール用嵩上げパイプの受枠の取付方法を示す斜視図
【図５】図１のマンホール用嵩上げパイプのフックを示す部分拡大図であり、（ａ）は受枠をフックに取り付けた状態を示す断面図、（ｂ）はフックを外側から見た斜視図、（ｃ）はフックを内側から見た斜視図
【図６】図２の浄化槽の上面に形成された穴に沿って固定された支持部材を示す拡大断面図
【図７】第二実施形態のマンホール用嵩上げパイプの受枠と筒状体を示す図であり、（ａ）は受枠の筒状体への取付方法を示す斜視図、（ｂ）は受枠を筒状体に取り付けた状態を示す断面図
【図８】第三実施形態のマンホール用嵩上げパイプの受枠と筒状体を示す図であり、（ａ）は受枠の筒状体への取付方法を示す斜視図、（ｂ）は受枠を筒状体に取り付けた状態を示す断面図
【図９】第四実施形態のマンホール用嵩上げパイプの受枠と筒状体を示す図であり、（ａ）は受枠の筒状体への取付方法を示す斜視図、（ｂ）は受枠を筒状体に取り付けた状態を示す断面図
【図１０】第五実施形態のマンホール用嵩上げパイプの受枠と筒状体を示す図であり、（ａ）は受枠の筒状体への取付方法を示す外側から見た斜視図、（ｂ）は筒状体を内側から見た斜視図、（ｃ）は受枠を筒状体に取り付けた状態を示す断面図
【図１１】従来のマンホール用嵩上げパイプの使用状態を示す正面図
【図１２】従来のマンホール用嵩上げパイプの保管時の状態を示す正面図
【符号の説明】
【００３３】
１，３０      マンホール用嵩上げパイプ
５，３１      筒状体
６，３２      上端
７，３３      受枠
７ｃ    外周部
７ｄ    ガイド部
８      マンホールの蓋
１１    フランジ部
１３，１７，１９    フック
１５，２１    凸部
１６，１８    穴
２０    切り欠き
２２    軸方向溝
２３    周方向溝
【図１】
2009221750.tif 000003
【図２】
2009221750.tif 000004
【図３】
2009221750.tif 000005
【図４】
2009221750.tif 000006
【図５】
2009221750.tif 000007
【図６】
2009221750.tif 000008
【図７】
2009221750.tif 000009
【図８】
2009221750.tif 000010
【図９】
2009221750.tif 000011
【図１０】
2009221750.tif 000012
【図１１】
2009221750.tif 000013
【図１２】
2009221750.tif 000014